(57)【要約】【課題】スタンドがリアカバーの内側で表示装置本体に固定されるスタンド付表示装置では、スタンド装着部がリアカバーから離れた位置にあると、リアカバーを貫通した固定ねじが、スタンド装着部に到達する前に落下してしまうという課題がある。【解決手段】表示装置本体２と、リアカバー３と、表示装置本体２のリアカバー３から離れた位置に設けられたスタンド装着部１６に着脱可能に取り付けられるスタンド４と、スタンド４を表示装置本体２のスタンド装着部１６に固定する締結部材５と、を備え、締結部材５は、スタンド装着部１６に螺合されると共にリアカバー３とスタンド装着部１６との離間距離よりも短いねじ軸部５１と、ねじ軸部５１の一端に連続すると共にスタンド４を押圧する押圧面が設けられた操作部５２とを有し、ねじ軸部５１と操作部５２を足した長さを離間距離Ｌよりも長くした。【選択図】図９
2008058425.tif 000002
【特許請求の範囲】
【請求項１】
表示装置本体と、
前記表示装置本体の背面を覆うリアカバーと、
前記表示装置本体の前記リアカバーから離れた位置に設けられたスタンド装着部に着脱可能に取り付けられるスタンドと、
前記リアカバーに設けられた貫通孔を貫通して前記スタンドを前記スタンド装着部に固定する締結部材と、を備え、
前記締結部材は、前記スタンド装着部に螺合されると共に前記リアカバーと前記スタンド装着部との離間距離よりも短いねじ軸部と、前記ねじ軸部の一端に連続すると共に前記スタンドを押圧する押圧面が設けられた操作部とを有し、
前記ねじ軸部と前記操作部を足した長さを前記離間距離よりも長くしたことを特徴とするスタンド付表示装置。
【請求項２】
前記リアカバーは、前記締結部材を前記スタンド装着部に案内するガイド部を有することを特徴とする請求項１記載のスタンド付表示装置。
【請求項３】
前記ガイド部は、前記貫通孔に連続する筒孔を有すると共に前記スタンド装着部に向かって延在される筒体に形成したことを特徴とする請求項２記載のスタンド付表示装置。
【請求項４】
前記操作部の前記押圧面に、前記スタンド装着部との間に摩擦抵抗を生じさせる複数の突条部を設けたことを特徴とする請求項１記載のスタンド付表示装置。
【発明の詳細な説明】
【技術分野】
【０００１】
本発明は、液晶ディスプレイやプラズマディスプレイ等のフラット表示パネルを備えた表示装置本体をスタンドで支持するようにしたスタンド付表示装置に関するものである。
【背景技術】
【０００２】
従来の、この種のスタンド付表示装置としては、例えば、特許文献１に記載されているようなものがある。特許文献１には、フラットパネルディスプレイ装置に関するものが記載されている。この特許文献１に記載されたフラットパネルディスプレイ装置は、「スピーカーを内蔵したフラットパネルディスプレイ本体と、このフラットパネルディスプレイ本体を載せて支持するスタンドと、により構成されるフラットパネルディスプレイ装置において、上記スタンドの背面側に、上記フラットパネルディスプレイ本体を載せる台座部の両端から支柱を立設し、この支柱の間で低音域用のスピーカーを内蔵したスピーカーボックスを支持する構造とした」ことを特徴としている。
【０００３】
このような構成を有する特許文献１に記載のフラットパネルディスプレイ装置によれば、「スピーカーボックスを大きく形成して大容量化を図ることができるので、より迫力のある重低音の音響システムを実現することができる（段落［０００７］を参照）」という効果が期待される。
【特許文献１】特開２００６−０３０３１５号公報
【０００４】
この特許文献１に記載されたフラットパネルディスプレイ装置は、ディスプレイ本体２にスタンド１０がビス止めされている。即ち、スタンド１０は、支柱１４，１５がディスプレイ本体２の背面、いわゆるリアカバーを介して図示されていないディスプレイ本体２の固定部にビス止めされている。このように、特許文献１に記載されているようなスタンド付表示装置は、スタンドがリアカバーの外側で表示装置本体にビス止めされる構成となっている。
【０００５】
また、スタンド付表示装置としては、スタンドがリアカバーの内側で表示装置本体にビス止めされるものもある。この場合、リアカバーに貫通孔を設け、その貫通孔にビスを貫通させて表示装置本体とスタンドとをビス止めする。ところが、このようなスタンド付表示装置では、表示装置本体とスタンドとをビス止めする箇所がリアカバーから離れた位置にあると、ビスがリアカバーとビス止め箇所との間に落下してしまうという問題があった。
【０００６】
このような問題点を、図１１を参照して詳細に説明する。図１１は、従来のスタンド付表示装置の一具体例を示すスタンド付表示装置１０１を示すものであり、スタンド付表示装置１０１を縦方向に断面した状態を表している。スタンド付表示装置１０１は、表示装置本体１０２と、表示装置本体１０２の背面を覆うリアカバー１０３と、表示装置本体１０２を支持するスタンド１０４と、スタンド１０４を表示装置本体１０２に固定する固定ねじ（ビス）１０５を備えて構成されている。このスタンド付表示装置１０１のスタンド１０４は、リアカバー１０３の内側で表示装置本体１０２に固定ねじ１０５によって固定される。
【０００７】
表示装置本体１０２は、フラット表示パネル１１１と、このフラット表示パネル１１１の表示面１１１ａを露出させるフロントカバー１１２と、フラット表示パネル１１１を支持するパネル支持部材１１３と、このパネル支持部材１１３に取り付けられる回路基板１１４等を備えている。表示装置本体１０２のパネル支持部材１１３は、スタンド１０４が取り付けられるスタンド装着部１１３ａを有しており、このスタンド装着部１１３ａには、固定ねじ１０５が螺合可能なねじ孔１１３ｂが設けられている。
【０００８】
また、リアカバー１０３のねじ孔１１３ｂと対向する位置には、固定ねじ１０５が貫通可能な大きさに設定された貫通孔１０３ａが設けられている。スタンド１０４は、表示装置本体１０２とリアカバー１０３と間に挿入されてパネル支持部材１１３に固定される支持部１１６を有しており、この支持部１１６には、固定ねじ１０５が挿通される挿通孔１１６ａが設けられている。
【０００９】
このような構成を有する従来のスタンド付表示装置１０１は、通常、表示装置本体１０２にリアカバー１０３が取り付けられた表示装置１０６と、スタンド１０４に分離された状態で梱包される。そして、搬送先において、ユーザーが表示装置１０６とスタンド１０４とを固定ねじ１０５により締結させる。この締結作業は、例えば、次のようにして行われる。
【００１０】
まず、スタンド１０４を載置面に載置し、そのスタンド１０４に上方から表示装置１０６を接近させて、スタンド４の支持部１１６を表示装置本体１０２のスタンド装着部に当接させる。そして、リアカバー１０３の貫通孔１０３ａに固定ねじ１０５を挿通してリアカバー１０３を貫通させ、その後、固定ねじ１０５を支持部１１６の挿通穴１１６ａに挿通させると共にパネル支持部材１１３ａのねじ孔１１３ｂに螺合させる。これにより、スタンド１０４が表示装置本体１０２に締付固定される。
【００１１】
しかしながら、スタンド付表示装置１０１は、スタンド４の支持部１１６とリアカバー１０３との間が所定の距離Ｘだけ離間されており、固定ねじ１０５の全長は支持部１１６とリアカバー１０３との間の距離Ｘよりも短く設定されている。そのため、貫通孔１０３ａを貫通した固定ねじ１０５が、スタンド装着部１１３のねじ孔に到達せずにリアカバー１０３の下片側に落下してしまうという問題があった。
【００１２】
この対策として、例えば、着磁ドライバー等の着磁した工具を使用することが考えられる。これにより、着磁した工具に固定ねじ１０５を吸着させて固定箇所まで導くことができ、固定ねじ１０５が落下することを防ぐことができる。ところが、ユーザーが必ずしも着磁した工具を所持しているとは限らないため、ユーザーが着磁した工具を所持していない場合には、固定ねじ１０５が落下するという問題を解決することができなかった。
【００１３】
また、着磁した工具を使用した場合であっても、固定箇所がリアカバー１０３から奥まった位置にあって、その固定箇所を視認することができないため、固定ねじ１０５をスタンド１０４の挿通穴１１６ａに挿通させたり、スタンド装着部１１３ａのねじ孔１１３ｂに螺合させたりすることが難しく、締結作業が煩雑になるという問題があった。更に、固定箇所がリアカバー１０３から奥まった位置にあると、工具のビット先端と固定ネジ１０５の頭部とを係合させる作業が非常に難しいという問題もあった。
【００１４】
また、その他の解決策として、固定ねじ１０５の長さをねじ孔１１３ｂに到達する程度に長く設定することが考えられる。ところが、この場合には、固定ねじ１０５の先端部がパネル支持部材１１３のスタンド装着部１１３ａから大きく突出するため、フロントカバー１１２や、図示しないその他の部材に干渉してしまうという問題が生じる。
【発明の開示】
【発明が解決しようとする課題】
【００１５】
解決しようとする問題点は、スタンドがリアカバーの内側で表示装置本体に固定されるスタンド付表示装置において、スタンド装着部がリアカバーから離れた位置にあると、リアカバーを貫通した固定ねじが、スタンド装着部に到達する前に落下してしまう、という点である。また、その対策として、着磁ドライバー等の着磁した工具を使用すると、スタンド装着部に固定ねじを螺合させることが難しく、取付作業が煩雑になる、という点である。更に、工具のビット先端と固定ねじの頭部とを係合させ難いという点である。
【００１６】
本発明の目的は、上述の問題点を考慮し、スタンドがリアカバーの内側で表示装置本体に固定されるスタンド付表示装置において、スタンドと表示装置本体の固定箇所がリアカバーから離れた位置にあっても、スタンドと表示装置本体を簡単に固定することができるスタンド付表示装置を提供することにある。
【課題を解決するための手段】
【００１７】
上記の目的を達成するために本発明のスタンド付表示装置は、表示装置本体と、表示装置本体の背面を覆うリアカバーと、表示装置本体のリアカバーから離れた位置に設けられたスタンド装着部に着脱可能に取り付けられるスタンドと、リアカバーに設けられた貫通孔を貫通してスタンドをスタンド装着部に固定する締結部材と、を備え、締結部材は、スタンド装着部に螺合されると共にリアカバーとスタンド装着部との離間距離よりも短いねじ軸部と、ねじ軸部の一端に連続すると共にスタンドを押圧する押圧面が設けられた操作部とを有し、ねじ軸部と操作部を足した長さをリアカバーとスタンド装着部との離間距離よりも長くしたことを最も主要な特徴とする。
【発明の効果】
【００１８】
本発明のスタンド付表示装置によれば、表示装置本体のスタンド装着部がリアカバーから離れた位置にあっても、スタンドを表示装置本体に簡単に固定することができる。
【発明を実施するための最良の形態】
【００１９】
以下、本発明のスタンド付表示装置を実施するための最良の形態について、図面を参照して説明するが、本発明は以下の形態に限定されるものではない。
【００２０】
図１〜図１０は、本発明の実施の形態の例を説明するものである。即ち、図１は本発明のスタンド付表示装置の第１の実施の形態を正面側から見た斜視図、図２は同じく背面側から見た斜視図、図３はスタンド付表示装置の分解斜視図、図４はリアカバーが取り付けられた表示装置本体とスタンドを示す説明図、図５は表示装置本体の底面とスタンドを拡大して示す説明図、図６はスタンド付表示装置を水平方向に断面した説明図、図７は締結部材の斜視図、図８〜図１０は締結部材によって表示装置本体とスタンドを締結する状態を説明する説明図である。
【００２１】
図１〜図７には、本発明のスタンド付表示装置の第１の実施の形態として液晶ディスプレイテレビ１を示している。この液晶ディスプレイテレビ１は、テレビジョン受像機として画像を表示するものであり、いわゆる薄型の画像表示装置である。しかしながら、この発明に係るスタンド付表示装置としては、この実施の形態の液晶ディスプレイテレビ１に限定されるものではなく、プラズマディスプレイテレビ、その他スタンドで支持された各種の表示装置に適用できるものである。
【００２２】
この液晶ディスプレイテレビ１は、図１〜図３等に示すように、表示装置本体の一具体例を示すディスプレイ本体２と、このディスプレイ本体２の背面を覆うリアカバー３と、ディスプレイ本体２を下方から支持するスタンド４と、スタンド４をディスプレイ本体２に固定する締結部材５等を備えて構成されている。ディスプレイ本体２は、パネル組立体７と、このパネル組立体７の周囲を覆うフロントカバー８を備えている。
【００２３】
パネル組立体７は、横長の長方形に形成された発行デバイスである液晶パネル１１と、この液晶パネル１１の背面側に配置される図示しないバックライトパネルと、液晶パネル１１及びバックライトパネルを支持するパネル支持部材１２等から構成されている。図３に示すように、パネル支持部材１２は、液晶パネル１１及びバックライトパネルに見合った略長方形の筐状に形成されていて、液晶パネル１１の表示面１１ａに対向される前面が開口されている。
【００２４】
パネル支持部材１２の背面には、上下方向に延在された２本の補強部材１４，１４が配置されている。２本の補強部材１４，１４は、パネル支持部材１２の略中央部において左右方向へ適当な間隔をあけて横並びに平行に配置されている。この２本の補強部材１４，１４は、ディスプレイ本体２に所定の強度を付与する背骨のようなものであり、その上端部１４ａはパネル支持部材１２の上部にねじ止めされ、下端部１４ｂはパネル支持部材１２の下部にねじ止めされている。更に、パネル支持部材１２の背面には、電源回路を有する図示しない電源基板や駆動回路その他の電気回路を有する図示しない回路基板が取り付けられている。
【００２５】
また、パネル支持部材１２の下部には、スタンド４が着脱可能に固定されるスタンド装着部１６が設けられている。このスタンド装着部１６は、パネル支持部材１２に一体的に設けられた固定部材１７と、この固定部材１７を覆う遮蔽カバー１８とから構成されている。固定部材１７には、４つのねじ孔１７ａ（図６において２つを示す）が設けられており、これら４つのねじ孔１７ａに４つの締結部材５がそれぞれ螺合される。遮蔽カバー１８は、固定部材１７に見合った形状とされていて、４つのねじ孔１７ａに対応する位置にそれぞれ逃げ孔１８ａが設けられている。
【００２６】
ディスプレイ本体２のフロントカバー８は、横長の長方形をなす枠体からなり、パネル組立体７のパネル支持部材１２に着脱可能にねじ止めされている。図３に示すように、フロントカバー８の幅方向の大きさは、パネル組立体７の幅方向の大きさよりも大きく設定されている。これにより、パネル組立体７に設けたスタンド装着部１６の両側に所定の大きさのスペースが形成され、そのスペースには、図示しないスピーカー装置が取り付けられている。
【００２７】
リアカバー３は、ディスプレイ本体２の背面を完全に覆い隠すことができる大きさを有するカバー部材からなり、ディスプレイ本体２のパネル支持部材１２にねじ止めされている。図３に示すように、リアカバー３のディスプレイ本体２に対向する面と反対側の面には、コネクタや接続端子の各接続部が露出される凹部２１が設けられている。更に、リアカバー３の凹部２１より下側であって、ディスプレイ本体２の固定部材１７に設けた４つのねじ孔１７ａに対応する位置には、各締結部材５を貫通させるための４つの貫通孔２２が設けられている。これら４つの貫通孔２２は、締結部材５の後述する頭部５５に見合った大きさに設定されている。
【００２８】
また、リアカバー３の下辺であって、４つの貫通孔２３と対応する部分には、略長方形に形成された切欠き部２３が設けられている。図４及び図５に示すように、リアカバー３の切欠き部２３は、リアカバー３をディスプレイ本体２に取り付けた状態において、フロントカバー８の下辺によって閉塞される。この閉塞された切欠き部２３には、スタンド４の後述する支持部３３が挿入される。
【００２９】
図６に示すように、リアカバー３のディスプレイ本体２に対向する面には、４つの貫通孔２２をそれぞれ貫通する各締結部材５を固定部材１７のねじ孔１７ａに案内する４つのガイド部２４が設けられている。４つのガイド部２４は、各貫通孔２２に連続する筒孔を有する円筒状をなしており、リアカバー３と一体に形成されている。これら４つのガイド部２４の筒孔内に沿って各締結部材５をそれぞれ摺動させることにより、それら締結部材５が固定部材１７の４つのねじ孔１７ａに案内される。
【００３０】
本実施の形態では、ガイド部２４を円筒状に形成したが、本発明に係るガイド部としては、これに限定されるものではなく、例えば、角筒状に形成することができることは勿論、円弧状をなす複数のガイド片から形成することもできる。
【００３１】
図３〜図５に示すように、スタンド４は、床等の載置面に載置されるベース部３１と、このベース部３１の上面に設けられた支柱部３２と、支柱部３２のベース部３１と反対側に設けられると共にディスプレイ本体２の固定部材１７に固定される支持部３３等を備えて構成されている。スタンド４のベース部３１は略楕円形をした平板状の部材からなり、その上面の略中央部に、略円柱状をした支柱部３２が突出されている。
【００３２】
図５等に示すように、支持部３３は、正面側に開口された横長の筐状部材からなる支持部本体３５と、この支持部本体３５の上面部に連続して正面側に展開される第１の固定片３６と、支持部本体３５の左右の側面部に取り付けられる一対の第２の固定片３７，３７と、支持部本体３５を支柱部３２に連結する連結片３８等を有している。支持部本体３５は、長手方向の両端部が支柱部３２の外側に突出されており、その突出された両端部の底面に一対の化粧部材３９，３９が取付けられている。
【００３３】
第１の固定片３６には、支持部３３をディスプレイ本体２の固定部材１７に固定する締結部材５の後述するねじ軸部が挿通される挿通孔３６ａ，３６ａが設けられている。また、連結片３８は、支持部本体３５の上面及び背面と支柱部３２の上面に沿って延在されるクランク状に形成されている。そして、連結部材３８は、固定ねじ４１によって支持部本体３５の上面及び背面と支柱部３２の上面それぞれに固定されている。
【００３４】
図６に示すように、一対の第２の固定片３７，３７は、それぞれＬ字状に折り曲げ形成された部材からなる。第２の固定片３７の一側は、支持部本体３５の側面部に固定ねじ４２によって固定され、他側は、支持部本体３５の側面部の外側に突出されている。この第２の固定片３７の他側には、第１の固定片３６と同様に、支持部３３をディスプレイ本体２の固定部材１７に固定する締結部材５の後述するねじ軸部が挿通される挿通孔３７ａが設けられている。
【００３５】
図７に示すように、締結部材５は、スタンド装着部１６の固定部材１７に設けたねじ孔１７ａに螺合されるねじ軸部５１と、このねじ軸部５１の一端に連続する操作部５２とを有している。この締結部材５の全長は、図６に示すように、スタンド４の一対の第２の固定片３７，３７をディスプレイ本体２のスタンド装着部１６に当接させた状態において、リアカバー３に設けたガイド部２４の先端から第２の固定片３７までの距離Ｌ（以下、離間距離Ｌという。）よりも長くなるように設定されている。
【００３６】
締結部材５のねじ軸部５１は、スタンド４をディスプレイ本体２に固定した状態において、固定部材１７からディスプレイ本体２の前面側に突出する部分が、フロントカバー８と干渉しないような長さに設定されている。また、この長さは、ガイド部２４の先端から第２の固定片３７までの離間距離Ｌよりも短くなる。
【００３７】
締結部材５の操作部５２は、ねじ軸部５１に連続する中間部５４と、この中間部５４のねじ軸部５１と反対側に連続する頭部５５とから構成されている。中間部５４は、ねじ軸部５１の直径よりも大きい直径を有する円柱体からなり、軸方向の長さがねじ軸部５１よりも長く設定されている。この中間部５４のねじ軸部５１側の端部には、押圧面５４ａが設けられている。
【００３８】
中間部５４の押圧面５４ａは、スタンド４をスタンド装着部１６に固定する際に、支持部３３の第１の固定片３６或いは第２の固定片３７を固定部材１７側に押圧する部分である。この押圧面５４ａには、第１の固定片３６或いは第２の固定片３７との間に摩擦抵抗を生じさせるための複数の突条部５４ｂが設けられている。複数の突条部５４ｂは、押圧面５４ａの周縁からねじ軸部５１に向かってそれぞれ放物線状に延在されると共に、断面形状が略三角形とされている。このような溝５４ｂを設けることにより、締結部材５が緩む心配がなく、支持部３３を固定部材１７にしっかりと固定することができる。
【００３９】
頭部５５は、中間部５４の直径よりも大きい直径を有する円柱体からなり、軸方向の長さが中間部５４よりも短く設定されている。この頭部５５の中間部５４と反対側の面には、ドライバー等の工具が嵌合される図示しない嵌合凹部が設けられている。なお、頭部５５の直径を中間部５４の直径よりも大きくした理由は、図示しない嵌合凹部を大きいものにするためである。嵌合凹部を大きいものにすることにより、作業者は、大きな工具で締結部材５を回転させることができ、ねじ軸部５１をねじ孔１７ａに容易に螺合させることができる。
【００４０】
本実施の形態では、締結部材５の操作部５２を中間部５４と頭部５５に分けて形成したが、本発明に係る操作部としては、ねじ軸部よりも直径の大きい１本の円柱状に形成してもよい。また、本発明に係る操作部としては、円柱状に限定されるものではなく、例えば、ねじ軸部よりも端面の面積を大きくすることで押圧面が形成される角柱状に形成してもよい。
【００４１】
上述したような構成を有する液晶ディスプレイテレビ１は、例えば、次のようにしてディスプレイ本体２にスタンド４を取り付けることができる。
【００４２】
液晶ディスプレイテレビ１は、図４に示すように、リアカバー３が取り付けられたディスプレイ本体２に対してスタンド４が着脱可能に固定されるようになっている。ディスプレイ本体２にスタンド４を固定するには、まず、スタンド４の支持部３３を、リアカバー３の切欠き部２３によって形成された挿入穴に挿入する。
【００４３】
これにより、支持部３３の第１の固定片３６及び一対の第２の固定片３７，３７が、ディスプレイ本体２のスタンド装着部１６に当接される。即ち、各固定片３６，３７が、遮蔽カバー１８を介して固定部材１７に当接される。このとき、第１の固定片３６の２つの挿通穴３６ａ，３６ａと一対の第２の固定片３７，３７の各挿通穴３７ａ，３７ａが、遮蔽カバー１８に設けた４つの逃げ孔１８ａを介して固定部材１７に設けた４つのねじ穴１７ａにそれぞれ一致される。
【００４４】
次に、リアカバー３の４つの貫通孔２２に４つの締結部材５をそれぞれ挿通させ、それら４つの締結部材５をリアカバー３の内側に貫通させる。そして、４つの締結部材５の各ねじ軸部５１を各固定片３６，３７の挿通穴３６ａ，３６ａ，３７ａ，３７ａ及び遮蔽カバー１８の４つの逃げ孔１８ａにそれぞれ挿通し、それらねじ軸部５１を固定部材１７の４つのねじ穴１７ａに螺合させる。これにより、スタンド４の第１の固定片３６と一対の第２の固定片３７，３７が、スタンド装着部１６の固定部材１７に締付固定され、ディスプレイ本体２に対するスタンド４の取付けが完了する。
【００４５】
ここで、締結部材５がリアカバー３を貫通して、スタンド４の支持部３３を締付固定するまでの状態を、支持部３３の第２の固定片３７を例に詳しく説明する。図８に示すように、第２の固定片３７の挿通穴３７と遮蔽カバー１８の逃げ孔１８ａと固定部材１７のねじ孔１７ａとを一致させた状態において、第２の固定片３７は、リアカバー３に設けたガイド部２４の先端から離間距離Ｌだけ離れている。
【００４６】
この状態において、締結部材５のねじ軸部５１をリアカバー３の貫通孔２２に対向させ、締結部材５を貫通孔２２に挿通させる。これにより、締結部材５は貫通孔２２を貫通し、その貫通孔２２に連続する筒孔を有するガイド部２４に案内されて第２の固定片３７挿通穴３７に接近する。
【００４７】
更に、締結部材５をガイド部２４に沿って前進させると、図９に示すように、ねじ軸部５１が第２の固定片３７の挿通穴３７ａに挿通される。その際、ガイド部２４の先端から第２の固定片３７までは離間距離Ｌだけ離れているが、締結部材５の全長が離間距離Ｌよりも長いため、締結部材５がディスプレイ本体２とリアカバー３の間に落下する心配がない。また、締結部材５がガイド部２４に案内されるため、作業者は、ねじ軸部５１を固定片３７挿通穴３７に容易に挿通させることができる。
【００４８】
続いて、締結部材５を前進させると、ねじ軸部５１が遮蔽カバー１８の逃げ孔１８ａを貫通し、固定部材１７のねじ孔１７ａに到達する。その後、ドライバー等の工具により締結部材５を回転させると、ねじ軸部５１が固定部材１７のねじ孔１７ａに螺合される。ねじ軸部５１がねじ孔１７ａに螺合されると、締結部材５の中間部５４に設けた押圧面５４ａがスタンド４の第２の固定片３７を固定部材１７側に押圧する。これにより、第２の固定片３７が固定部材１７に締付固定される。
【００４９】
第２の固定片３７が固定部材１７に締付固定された状態において、押圧面５４ａと第２の固定片３７との間には、押圧面５４ａに設けた複数の突条部５４ｂによって摩擦抵抗が生じる。これにより、締結部材５が緩む心配がなく、第２の固定片３７を固定部材１７にしっかりと固定することができる。なお、第１の固定片３６も第２の固定片３７と同様に、締結部材５によって締付固定される。
【００５０】
以上説明したように、本発明のスタンド付表示装置によれば、表示装置本体のスタンド装着部がリアカバーから離れた位置にあっても、締結部材がリアカバーと表示装置本体の間に落下する心配がなく、表示装置本体に対するスタンドの取付作業を容易に行うことができる。しかも、締結部材によってスタンドを表示装置本体に締付固定した状態において、その締結部材のねじ軸部がフロントカバーやその他の部材に干渉することがない。
【００５１】
本発明は、前述しかつ図面に示した実施の形態に限定されるものではなく、その要旨を逸脱しない範囲内で種々の変形実施が可能である。例えば、前記実施の形態においては、画像表示装置として液晶ディスプレイテレビを適用した例について説明したが、プラズマディスプレイテレビ、その他のスタンド付表示装置にも適用できるものである。また、本実施の形態では、４つの締結部材によってスタンドを表示装置本体に締付固定する構成としたが、本発明に係る締結部材の数は、３つ以下でもよく、また、５つ以上であってもよい。
【図面の簡単な説明】
【００５２】
【図１】本発明のスタンド付表示装置の第１の実施の形態を示すもので、正面側から見た斜視図である。
【図２】本発明のスタンド付表示装置の第１の実施の形態を示すもので、背面側から見た斜視図である。
【図３】本発明のスタンド付表示装置の第１の実施の形態を示すもので、正面側から見た分解斜視図である。
【図４】本発明のスタンド付表示装置の第１の実施の形態を示すもので、リアカバーが取り付けられた表示装置本体とスタンドとに分離した状態の説明図である。
【図５】リアカバーが取り付けられた表示装置本体の底面とスタンドとを拡大した説明図である。
【図６】図１に示すスタンド付表示装置を水平方向に断面して、表示装置本体とスタンドとの固定箇所を説明する説明図である。
【図７】表示装置本体にスタンドを締付固定する締結部材の斜視図である。
【図８】表示装置本体に対するスタンドの締付固定を説明するもので、リアカバーの貫通孔に締結部材を対向させた状態の説明図である。
【図９】表示装置本体に対するスタンドの締付固定を説明するもので、締結部材を固定箇所に到達させた状態の説明図である。
【図１０】表示装置本体に対するスタンドの締付固定を説明するもので、締結部材を固定箇所に螺合させた状態の説明図である。
【図１１】従来のスタンド付表示装置を説明する説明図である。
【符号の説明】
【００５３】
１…液晶ディスプレイテレビ（スタンド付表示装置）、  ２…ディスプレイ本体（表示装置本体）、  ３…リアカバー、  ４…スタンド、  ５…締結部材、  ７…パネル組立体、  ８…フロントカバー、  １１…液晶パネル、  １２…パネル支持部材、  １６…スタンド装着部、  １７…固定部材、  １７ａ…ねじ孔、  １８…遮蔽カバー、  １８ａ…逃げ孔、  ２２…貫通孔、  ２４…ガイド部、  ３１…ベース部、  ３２…支柱部、  ３３…支持部、  ３６…第１の固定片、  ３７…第２の固定片、  ３６ａ，３７ａ…挿通孔、  ５１…ねじ軸部、  ５２…操作部、  ５４…中間部、  ５４ａ…押圧面、  ５４ｂ…突条部
【図１】
2008058425.tif 000003
【図２】
2008058425.tif 000004
【図３】
2008058425.tif 000005
【図４】
2008058425.tif 000006
【図５】
2008058425.tif 000007
【図６】
2008058425.tif 000008
【図７】
2008058425.tif 000009
【図８】
2008058425.tif 000010
【図９】
2008058425.tif 000011
【図１０】
2008058425.tif 000012
【図１１】
2008058425.tif 000013